(57)【要約】  開閉操作装置の操作取っ手を個人差によらず、正しく握って開閉操作を安定して操作できる電気回路開閉操作装置を得る。操作取っ手６ｂには、窪み６ｄが設けられていて、取っ手操作員は、その親指の腹面を自然に窪み６ｄに嵌り込ませる状態として操作取っ手６ｂを握ることができる。握った状態で操作取っ手６ｂを容易に右回転操作してＯＦＦ状態からＯＮ状態とすることができる。また、意匠パネル６ｃと操作取っ手６ｂとの間に爪入り込み防止手段を設けると、操作員の爪の入り込みが防止できる。
2009130763.tif 000002
【特許請求の範囲】
【請求項１】
遮断器を電気的に開閉操作する操作取っ手を有し、前記操作取っ手にはそれを掴む操作員の親指の位置を指定する窪みが設けられていることを特徴とする電気回路開閉操作装置。
【請求項２】
前記操作取っ手とこれに対向する本体の外面との対向間に、前記操作員の爪の入り込みを防止する爪入り込み防止手段を有することを特徴とする請求項1記載の電気回路開閉操作装置。
【請求項３】
前記爪入り込み防止手段は、前記操作取っ手とこれに対向する本体の外面との対向間に挿設されたスペーサであり、前記スペーサは前記操作取っ手と係合し、前記操作取っ手の回動に伴って回動するように構成したことを特徴とする請求項２記載の電気回路開閉操作装置。
【請求項４】
前記遮断器は、配線用遮断器であることを特徴とする請求項１〜請求項３のいずれか１項に記載の電気回路開閉操作装置。
【発明の詳細な説明】
【技術分野】
【０００１】
この発明は、コントロールセンタの機能ユニットに設けられた電気回路開閉操作装置に関する。
【背景技術】
【０００２】
ＪＥＭ−１１９５（ＪＥＭ：日本電機工業会規格）には、コントロールセンタの機能ユニットとは、ある機能を満たすのに必要な主回路および補助回路の機器を備えたモータコントロールセンタの一回路構成単位と規定されている。この機能ユニット内には、通常、短絡時の電流を安全に遮断する目的で、遮断器が搭載されている。遮断器には、この遮断器の開閉操作を簡便にすると共に遮断器がＯＮ状態では、機能ユニットを引出せなくするインタロック機能を持たせるために操作取っ手を有する外部の電気回路開閉操作装置が設けられている。【０００３】
特許文献1には、配線用遮断器に外部操作ハンドル装置（電気回路開閉操作装置）を取り付けるのに、取付座を設けてこれをネジにより配線用遮断器と一緒に盤パネルに締め付け、次いでこの取付座に外部操作ハンドル装置をネジで締め付けているものが開示されている。【０００４】
ところで、コントロールセンタの機能ユニットに設けられた操作取っ手を操作する際、後述の図１０〜図１４を用いて詳述するように、個人差により操作取っ手の握り方が異なって、誤った握り方で操作をしようとすると、必要な力が入らず操作できない場合や、操作ができた場合でも手指に痣を生じる場合がある。大型の電気回路開閉操作装置の場合には、操作荷重が大きくなるので上記の問題が一層大きくなる。
また正しい握り方で操作した場合でも、操作員の爪の長さによっては操作取っ手と操作取っ手と対向する位置に存在する意匠パネルとの間に、爪が入り込んで引っ掛かる場合がある。【０００５】
【特許文献１】特開平６―５１９１号
【発明の開示】
【発明が解決しようとする課題】
【０００６】
この発明は、上記問題点に鑑み、操作取っ手を掴む操作員に操作取っ手を扱い易く、力が入り易い握り方を感知させる電気回路開閉操作装置を提供することを目的とするものである。
また、爪が引っ掛かることを防止して電気回路開閉操作装置を安定且つ確実に操作できるものを提供することを目的とするものである。
【課題を解決するための手段】
【０００７】
この発明の電気回路開閉操作装置は、遮断器を電気的に開閉操作する操作取っ手を有し、前記操作取っ手にはそれを掴む操作員の親指の位置を指定する窪みが設けられているものである。
また、この発明の電気回路開閉操作装置は、前記操作取っ手とこれに対向する本体の外面との対向間に操作員の爪の入り込みを防止する爪入り込み防止手段を有するものである。
【発明の効果】
【０００８】
この発明に係る電気回路開閉操作装置によれば、操作取っ手に窪みを設けることにより、それを掴む操作員に操作取っ手を扱い易く、力が入り易い握り方を感知させる効果がある。
また爪入り込み防止手段を設けることにより、爪が引っ掛かることを防止して電気回路開閉操作装置を安定且つ確実に操作できる。
この発明の上記以外の目的、特徴、観点及び効果は、図面を参照する以下のこの発明の詳細な説明から、さらに明らかになるであろう。
【図面の簡単な説明】
【０００９】
【図１】この発明の実施の形態１における電気回路開閉操作装置の正面図である。
【図２】図１の側面図である。
【図３】図１の部分拡大図である。
【図４】図３の拡大側面図である。
【図５】図４において操作員が操作取っ手を正しく握った状態の説明図である。
【図６】実施の形態２における図１の部分拡大図である。
【図７】図６の拡大側面図である。
【図８】図７において操作員が操作取っ手を正しく握った状態の説明図である。
【図９】実施の形態２で意匠パネルからスペーサー付き操作取っ手を取外して示す斜視図である。
【図１０】従来の電気回路開閉操作装置における部分拡大図である。
【図１１】図１０の拡大側面図である。
【図１２】図１１に示す操作取っ手を握った状態の説明図である。
【図１３】図１１に示す操作取っ手を握った他の状態の説明図である。
【図１４】従来の電気回路開閉操作装置において操作取っ手を握った状態の一例の説明図である。
【発明を実施するための最良の形態】
【００１０】
実施の形態１．
図１〜図５は、この発明の電気回路開閉操作装置について実施の形態１を説明するもので、図１は電気回路開閉操作装置（以下単に開閉操作装置と略称する）の正面図、図２は図１の側面図、図３は図１の部分拡大図、図４は図３の拡大側面図、図５は図４において操作員が操作取っ手を正しく握った状態の説明図である。一方、図１０は従来の開閉操作装置における、前記図３に対応する部分拡大図、図１１は前記図４に対応する拡大側面図、図１２および図１３は図１１に示す操作取っ手を握った状態の説明図である。【００１１】
図１および図２において、コントロールセンタの機能ユニット１ａは、電源と接続される接続子１ｂを有し、また配線用遮断器１ｃ、この発明の開閉操作装置の一例としての開閉操作装置１ｄ、電流センサ・零相変流器１ｅ、電磁開閉器１ｆ、制御回路保護ヒューズ１ｇ、制御回路用端子台１ｈ、各種シーケンスを実現するための電磁継電器１ｊ、および機能ユニットから負荷へ電力を送るためのコネクタ１ｋを備えている。【００１２】
図３〜図５、図１０および図１１において、開閉操作装置１ｄは、操作取っ手６ｂ、操作取っ手６ｂに設けられた窪み６ｄ、および開閉操作装置１ｄのＯＮ−ＯＦＦ状態を表示する意匠パネル６ｃから構成されている。【００１３】
図３においては、窪み６ｄは操作取っ手６ｂの長手方向の左側面（図３では下側面）に設けられているので、右利き腕の取っ手操作員は、図５に示すように、その親指の腹面を自然に窪み６ｄに嵌り込ませる状態として操作取っ手６ｂを握ることになる。その状態で操作取っ手６ｂを容易に右回転操作してＯＦＦ状態からＯＮ状態とすることができる。なお取っ手操作員が左利きである場合には、操作取っ手６ｂの右側面（図３では上側面）上に前記窪み６ｄに代わる窪みを設けて右回転操作できるようにするとよい。さらに取っ手操作員が、右利き者と左利き者とが入れ替わることがある場合には、操作取っ手６ｂの左右面のそれぞれに窪み６ｄを設けておくとよい。ＯＮ状態からＯＦＦ状態とする際には、右手または左手で操作取っ手６ｂを左回転操作することになる。なお窪み６ｄの面積、最大深さ、および形状などに関しては特に制限はなく、要は操作取っ手６ｂを握った操作員が自然にその位置を認識可能であれば良い。【００１４】
前記に対して窪み６ｄが設けられていない従来技術では、取っ手操作員は操作取っ手６ｂを図１２に示すように指先で摘んだり、あるいは図１３に示すように逆手で摘んだりすることになって、その結果、力が入り難くまた指や腕が痛くなる問題が生じ、無理に操作すると、手指に痣ができるなどの問題が生じる。【００１５】
実施の形態２．
図６〜図９は、この発明の開閉操作装置についての実施の形態２を説明するものであって、図６は前記図３と同様の、前記図１の部分拡大図、図７は図６の拡大側面図、図８は図７において操作員が操作取っ手を正しく握った状態の説明図である。図９は意匠パネルからスペーサー付き操作取っ手を取外して示す斜視図である。一方、図１４は従来の開閉操作装置において操作取っ手を握った状態の一例の説明図である。【００１６】
図６,図７及び図９において、意匠パネル６ｃと操作取っ手６ｂとの間には、爪入り込み防止手段である盛上体の一例としての円盤状のスペーサー６ｅが挿設されていて、スペーサー６ｅは操作取っ手６ｂと係合して結合され、操作取っ手６ｂの回動と共にスペーサー６ｅも回動する。図９に示すように、窪み６ｄの輪郭は略楕円状である。図８に示すように、操作員の爪の入り込みが防止され、且つ操作員の親指が窪み６ｄ内に位置するように操作取っ手６ｂを握ることにより、実施の形態１で説明した効果も得られる。これに対して、操作取っ手６ｂに窪み６ｄがなく、またスペーサー６ｅもない従来の操作取っ手６ｂの場合には、図１４に示すように、意匠パネル６ｃと操作取っ手６ｂとの間に操作員の爪が入り込んで、操作取っ手６ｂの正確な操作ができなくなるのみならず、爪を痛める事故さえ起きる問題がある。【００１７】
以上、この発明を実施の形態１，２により詳細に説明したが、この発明は実施の形態１、２に限定されるものではなく、この発明が解決しようとする課題並びに解決手段の精神に則った各種の変型形態をも包含する。操作取っ手としても、図３や図６に示す形状以外の形状のものであってもよい。
【図１】
2009130763.tif 000003
【図２】
2009130763.tif 000004
【図３】
2009130763.tif 000005
【図４】
2009130763.tif 000006
【図５】
2009130763.tif 000007
【図６】
2009130763.tif 000008
【図７】
2009130763.tif 000009
【図８】
2009130763.tif 000010
【図９】
2009130763.tif 000011
【図１０】
2009130763.tif 000012
【図１１】
2009130763.tif 000013
【図１２】
2009130763.tif 000014
【図１３】
2009130763.tif 000015
【図１４】
2009130763.tif 000016
【手続補正書】
【提出日】平成22年5月21日(2010.5.21)
【手続補正１】
【補正対象書類名】特許請求の範囲
【補正対象項目名】全文
【補正方法】変更
【補正の内容】
【特許請求の範囲】
【請求項１】
遮断器を電気的に開閉操作する操作取っ手を有し、前記操作取っ手にはそれを掴む操作員の親指の位置を指定する窪みが設けられていると共に、
前記操作取っ手とこれに対向する本体の外面との対向間に、前記操作員の爪の入り込みを防止する爪入り込み防止手段を有することを特徴とする電気回路開閉操作装置。
【請求項２】
前記爪入り込み防止手段は、前記操作取っ手とこれに対向する本体の外面との対向間に挿設されたスペーサであり、前記スペーサは前記操作取っ手と係合し、前記操作取っ手の回動に伴って回動するように構成したことを特徴とする請求項１記載の電気回路開閉操作装置。
【請求項３】
前記遮断器は、配線用遮断器であることを特徴とする請求項１又は請求項２記載の電気回路開閉操作装置。 
【手続補正２】
【補正対象書類名】明細書
【補正対象項目名】０００７
【補正方法】変更
【補正の内容】
【０００７】
この発明の電気回路開閉操作装置は、遮断器を電気的に開閉操作する操作取っ手を有し、前記操作取っ手にはそれを掴む操作員の親指の位置を指定する窪みが設けられていると共に、前記操作取っ手とこれに対向する本体の外面との対向間に操作員の爪の入り込みを防止する爪入り込み防止手段を有するものである。
【国際調査報告】
2009130763.tif 000017
2009130763.tif 000018
2009130763.tif 000019
2009130763.tif 000020